(57)【要約】本発明はユーザが常に携帯しつつ携帯用オーディオシステムと結合してサラウンド立体音響を楽しめる携帯用多チャンネルアンプに関する。本発明による携帯用多チャンネルアンプは、オーディオ信号を再生する外部のオーディオシステムと、オーディオ信号を音声として出力する装置を各々ケーブルを通じて接続するための複数のケーブル接続用コネクタと、該ケーブル接続用コネクタを外部回路と接続させるための回路接続用コネクタを有する入出力アダプタと、前記入出力アダプタの回路接続用コネクタに対応して分離可能に挟んで接続可能な接続部を有しており、その接続部を通じて前記外部のオーディオシステムから入力されるオーディオ信号を多チャンネル信号として処理し、その接続部を通じて外部に出力する処理回路が内蔵されたアンプ本体と、よりなる。本発明によれば、ユーザが常に携帯しつつ携帯用オーディオシステムと結合してサラウンド立体音響を楽しめる。また、本体と入出力アダプタとが分離されることによって、簡便に保管でき、家庭ではドッキングステーションを用いて多様な用途で利用できる。
2004513583.tif 000002
【特許請求の範囲】
【請求項１】
オーディオ信号を再生する外部のオーディオシステムと、オーディオ信号を音声として出力する装置を各々ケーブルを通じて接続するための複数のケーブル接続用コネクタと、該ケーブル接続用コネクタを外部回路と接続させるための回路接続用コネクタを有する入出力アダプタと、
前記入出力アダプタの回路接続用コネクタに対応して分離可能に挟んで接続可能な接続部を有しており、その接続部を通じて前記外部のオーディオシステムから入力されるオーディオ信号を多チャンネル信号として処理し、その接続部を通じて外部に出力する処理回路が内蔵されたアンプ本体と、よりなる携帯用多チャンネルアンプ。
【請求項２】
前記アンプ本体の接続部を挟んで回路を接続すると同時に支持する接続支持部及びこの接続支持部と直接連結されて前記外部のオーディオシステム及びスピーカーシステムを各々ケーブルを通じて接続可能な複数のケーブル接続用コネクタを有しているドッキングステーションを含み、該ドッキングステーションに据置して使用されるようになっていることを特徴とする請求項１に記載の携帯用多チャンネルアンプ。
【請求項３】
前記アンプ本体に内蔵された処理回路であって、
オーディオ信号を入力されてドルビープロロジック、ＴＨＸ、ＡＣ−３、ＤＴＳのような３次元サラウンドに変換するデジタル信号処理部と、
前記デジタル信号処理部から出力されたデジタル信号をアナログ信号に変換するＤ／Ａ変換部とが備えられている請求項１または２に記載の携帯用多チャンネルアンプ。
【請求項４】
前記デジタル信号処理部は、
２チャンネルステレオ及び４チャンネルプロロジックサラウンドを５．１チャンネルサラウンドに変換するドルビープロロジックＩＩ機能がさらに備えられている請求項３に記載の携帯用多チャンネルアンプ。
【請求項５】
前記デジタル信号処理部は、
ゲーム等で現実感あるサウンド効果を出すためにゲーム開発者が有用に使用可能に作られたＡＰＩであり、ゲーム等で洞窟、水路、ホールなどの多様な環境を構成しようとする時、これを支援するＡＰＩを呼び出し、関連したパラメータを設定することによって簡単に効果音を設定するＥＡＸ機能がさらに備えられている請求項３に記載の携帯用多チャンネルアンプ。
【請求項６】
前記ドッキングステーションに内蔵され、それに据置されたアンプ本体から出力される信号を増幅して前記ケーブル接続用コネクタを通じて出力するパワーアンプがさらに備えられていることを特徴とする請求項２に記載の携帯用多チャンネルアンプ。
【請求項７】
前記ドッキングステーションに内蔵され、そこに据置されたアンプ本体にその接続部を通じて電圧を印加する電圧供給手段がさらに備えられていることを特徴とする請求項２または６に記載の携帯用多チャンネルアンプ。
【請求項８】
前記アンプ本体が前記電圧供給手段から印加される電圧を充電するための手段を共に内蔵していることを特徴とする請求項７に記載の携帯用多チャンネルアンプ。
【請求項９】
前記電圧供給手段から印加される電源供給はＤＣ−ｉｎを使用して電源を供給することを特徴とする請求項８に記載の携帯用多チャンネルアンプ。
【請求項１０】
前記電圧供給手段から印加される電源供給はＵＳＢポートを使用して電源を供給することを特徴とする請求項８に記載の携帯用多チャンネルアンプ。
【発明の詳細な説明】
【０００１】
【技術分野】
本発明はアンプに係り、特にユーザが携帯可能な携帯用アンプに関する。
【０００２】
【背景技術】
アンプ（Ａｍｐｌｉｆｉｅｒ）には、大きくセパレーテッドアンプ（Ｓｅｐａｒａｔｅｄ ａｍｐｌｉｆｉｅｒ）、インテグレーテッドアンプ（Ｉｎｔｅｇｒａｔｅｄ ａｍｐｌｉｆｉｅｒ）及びレシーバなどがある。
【０００３】
セパレーテッドアンプは音を増幅してスピーカに送るパワーアンプとソースの選択などをするプリアンプとよりなっている。インテグレーテッドアンプはパワーアンプとプリアンプとを合わせたものを称する。レシーバはインテグレーテッドアンプにチューナが内蔵されたアンプを称する。
【０００４】
ここで、プリアンプは、コントロールアンプとも言い、マイクやレコードプレーヤーのカートリッジのような低い信号を増幅させるか、チューナ、テープデッキ及びＣＤプレーヤー、デジタルオーディオテープレコーダなどの信号を受信して調節した後、パワーアンプに伝送する役割を行う。
【０００５】
最近、販売されているアンプには音場機能が備えられている。このような音場機能は、音楽の美しさや真実感を探すためには現場感が必要であるが、これを再現させる機能である。
【０００６】
アンプの音場とは、その空間が有している特有のエコーと言えるが、人間の耳に伝わってくる音は楽器やスピーカーからの直接音と周辺に散在している他の物等によって伝えられる反射音がある。
【０００７】
その反射音がどの方向から聞こえてくるか、如何なる材質から反射されるか、または直接音よりどの位遅く聞こえてくるか等によってエコーの美しさ、すなわち音場の良否が伝えられる。
【０００８】
一般にコンサートホールや映画館は、設計当時から音楽や映画上映に適するようになっているので、極端に特殊な場合を除いては悪くなるということは考えられない。
【０００９】
しかし、われわれの住居空間は音響や映画のために設計されたものではないために、システムがいくら優れていても完璧な音場は実現できない。
【００１０】
特に、居間の大きさが重要であるが、この場合にはデジタルシグナルプロセッサーを用いれば効果的である。
【００１１】
最近にはデジタルシグナルプロセッサーを用いて具現される音場機能を備える携帯用アンプ及び多チャンネルオーディオ信号を聴けるヘッドホンが開発されている。
【００１２】
【発明の開示】
本発明が解決しようとする技術的課題は、入出力端子を分離して携帯が簡便で、かつ一般家庭ではスピーカーを用いて使用可能にする携帯用多チャンネルアンプを提供することである。
【００１３】
前記技術的課題を達成するための本発明に係る携帯用多チャンネルアンプは、オーディオ信号を再生する外部のオーディオシステムとオーディオ信号を音声で出力する装置を各々ケーブルを通じて接続するための複数のケーブル接続用コネクタと、該ケーブル接続用コネクタを外部回路と接続させるための回路接続用コネクタを有する入出力アダプタと、前記入出力アダプタの回路接続用コネクタに対応して分離可能に挟んで接続可能な接続部を有しており、その接続部を通じて前記外部のオーディオシステムから入力されるオーディオ信号を多チャンネル信号として処理し、その接続部を通じて外部に出力する処理回路が内蔵されたアンプ本体と、よりなる。
【００１４】
また、前記アンプ本体の接続部を挟んで回路を接続し、同時に支持する接続支持部及びこの接続支持部と直接連結して前記外部のオーディオシステム及びスピーカーシステムを各々ケーブルを通じて接続可能な複数のケーブル接続用コネクタを有しているドッキングステーションを含み、該ドッキングステーションに据置して使用されるようになっていることを特徴とする。
【００１５】
前記アンプ本体に内蔵された処理回路であって、オーディオ信号を入力されてドルビープロロジック、ＴＨＸ、ＡＣ−３、ＤＴＳのような３次元サラウンドに変換するデジタル信号処理部と、前記デジタル信号処理部から出力されたデジタル信号をアナログ信号に変換するＤ／Ａ変換部が備えられる。
【００１６】
また、前記デジタル信号処理部は、２チャンネルステレオ及び４チャンネルプロロジックサラウンドを５．１チャンネルサラウンドに変換するドルビープロロジックＩＩ機能がさらに備えられている。
【００１７】
また、前記デジタル信号処理部は、ゲーム等で現実感あるサウンド効果を出すためにゲーム開発者が有用に使用可能に作られたＡＰＩであり、ゲーム等で洞窟、水路、ホールなどの多様な環境を構成しようとする時、これを支援するＡＰＩを呼び出し、関連したパラメータを設定することによって簡単に効果音に対する設定がなされたＥＡＸ機能がさらに備えられている。
【００１８】
また、前記ドッキングステーションに内蔵され、それに据置されたアンプ本体から出力される信号を増幅して前記ケーブル接続用コネクタを通じて出力するパワーアンプがさらに備えられていることを特徴とする。
【００１９】
また、前記ドッキングステーションに内蔵され、そこに据置されたアンプ本体にその接続部を通じて電圧を印加する電圧供給手段がさらに備えられていることを特徴とする。
【００２０】
また、前記アンプ本体が前記電圧供給手段から印加される電圧を充電するための手段を共に内蔵していることを特徴とする。
【００２１】
また、前記電圧供給手段から印加される電源供給はＤＣ−ｉｎを使用して電源を供給することを特徴とする。
【００２２】
また、前記電圧供給手段から印加される電源供給はＵＳＢポートを使用して電源を供給することを特徴とする。
【００２３】
【発明を実施するための最良の態様】
以下、図面を参照して本発明を詳細に説明する。
【００２４】
図１は、本発明に係る携帯用多チャンネルアンプの一実施例を示したものであって、アンプ本体１１０及び入出力アダプタ１２０よりなる。
【００２５】
アンプ本体１１０は、マイクやレコードプレーヤーのカートリッジのように低い信号を増幅させるか、チューナ、テープデッキ及びＣＤプレーヤー、デジタルオーディオテープレコーダの信号のような多様なオーディオ信号を入力されて多チャンネル信号を出力する手段であって、ＤＳＰ技術を用いて両面基板に製作し、内部にバッテリー１３０を装着する。
【００２６】
このようなアンプ本体１１０は、入出力アダプタ１２０の回路接続用コネクタ１２３に対応して分離可能に挟んで接続できる接続部１１３を有しており、その接続部１１３を通じて前記外部のオーディオシステムから入力されるオーディオ信号を多チャンネル信号として処理し、その接続部１１３を通じて外部に出力する処理回路が内蔵される。
【００２７】
入出力アダプタ１２０は、マイクやレコードプレーヤーのカートリッジのように低い信号を増幅させるか、チューナ、テープデッキ及びＣＤプレーヤー、デジタルオーディオテープレコーダの信号を入力される複数の入力端子Ｄ、Ａと前記入力信号を変化させて出力する複数の出力端子Ｆ、Ｒとを備え、前記アンプ本体１１０と結合される。
【００２８】
このような入出力アダプタ１２０は各々ケーブルを通じて接続させるための複数のケーブル接続用コネクタＤ、Ａ、Ｆ、Ｒと、このケーブル接続用コネクタＤ、Ａ、Ｆ、Ｒを外部回路と接続させるための回路接続用コネクタ１２３と、を有する。
【００２９】
図２は、本発明に係る携帯用多チャンネルアンプの他の一実施例を示す図面である。
【００３０】
図２において入出力アダプタ１３０の入出力端子を四角形の端子Ｄ、Ａ、Ｆ、Ｒに形成することによって、入出力アダプタ１３０のサイズを減らせる。
【００３１】
図３は、アンプ本体の内部構成を示す図面であって、Ｔｏｓｌｉｎｋ ２１０、Ａ／Ｄ変換部２２０、デジタル信号処理部２３０及びＤ／Ａ変換部２４０よりなる。
【００３２】
Ｔｏｓｌｉｎｋ ２１０は、デジタル信号を入力されて前記デジタル信号をデジタル信号処理部２３０に伝送する。
【００３３】
Ａ／Ｄ変換部２２０は、入力されたアナログ信号をデジタル信号に変換してデジタル信号処理部２３０に伝送する。
【００３４】
デジタル信号処理部２３０は、Ｔｏｓｌｉｎｋ ２１０とＡ／Ｄ変換部２２０から出力されるデジタル信号を入力されてＥＡＸ、ドルビープロロジック、ドルビープロロジックＩＩ、ＴＨＸ、ＡＣ−３、ＤＳ、ＤＤ、ＤＴＳなどの３次元サラウンドに変換する。
【００３５】
ＥＡＸ（Ｅｎｖｉｒｏｎｍｅｎｔａｌ Ａｕｄｉｏ）は、ゲーム等で現実感あるサウンド効果を奏するためにゲーム開発者らが有用に使用できるように作られたＡＰＩである。ゲーム等で洞窟、水路、ホールなどの多様な環境を構成しようとする時、これを支援するＡＰＩを呼び出して関連パラメータを設定することによって、簡単に効果音に関する設定がなされる。
【００３６】
ＥＡＸを支援するゲームの場合、ＥＡＸ ＡＰＩを用いてより現実的な効果音処理が可能であり、かつＥＡＸを支援しないゲームであってもＥＡＸプリセットを使用するので、ＥＡＸを間接的に使用できる。
【００３７】
ドルビープロロジックは、一般映画館から家庭用ビデオソフトまで、現在最も広く普及されているサラウンドフォーマットであって、信号チャンネル数はＬ、Ｃ、Ｒ及びサラウンドの４チャンネルであるが、通常のステレオと互換性があるために、ステレオ再生可能なメディアのほとんどに適用されるということが特徴である。
【００３８】
ドルビープロロジックＩＩは、２チャンネルステレオ及び４チャンネルプロロジックサラウンドを５．１チャンネルサラウンドに変換する新たな方式の５チャンネルサラウンドシステムである。このモードは、映画をプレーするために設計された映画モードと音楽を聞くために設計された音楽モードとよりなる。
【００３９】
映画モードは、ドルビーサラウンド（ＤＯＬＢＹ ＳＵＲＲＯＵＮＤ）マークを有するＶＨＳ及びＤＶＤビデオと所定のテレビプログラムとに使われる。音楽モードは、音楽ＣＤと他のステレオソースとに使われる。
【００４０】
ドルビーデジタル（Ｄｏｌｂｙ Ｄｉｇｉｔａｌ：ＤＤ）は、デジタル録音で高音質のサラウンド再生を実現するものであって、低域効果音を含む５．１チャンネル分の音声を独立して記録し、ステレオ化したサラウンドチャンネルも２０ＫＨｚまでフル帯域で再生し、映画と同一なダイナミックレンジ及び最新映画館の優れた音場感を再現できるなど多様な特徴を有する。
【００４１】
ＤＴＳ（Ｄｉｇｉｔａｌ Ｔｈｅａｔｅｒ Ｓｙｓｔｅｍｓ）は、最新のデジタルサラウンド再生方式であって、ＤＴＳの音声信号はドルビーデジタルと同じ５．１チャンネルであるが、音声の圧縮率が低いために高感度のＳ／Ｎがある再生が可能である。さらに、ダイナミックレンジが広く、分離度に優れるというなど緻密でかつ雄大な空間表現が特徴である。
【００４２】
但し、ＤＤはＤＶＤ−Ｖｉｄｅｏの公式標準であるために、全てのＤＶＤプレーヤーが支援しているが、ＤＴＳはＤＶＤ−Ｖｉｄｅｏの公式標準でないために、ＤＶＤプレーヤーがＤＴＳを支援するか、専用ＤＴＳデコーディングアンプがなければ使用できないフォーマットである。
【００４３】
しかし、ＤＤ、ＤＴＳの両フォーマット間の最大の違いはオーディオデータをいかほど圧縮するかにある。ＤＤ方式がＤＴＳ方式より圧縮率がさらに高い。圧縮をより多くするということは元の音元をさらに多く損傷させるということを意味する。ＤＤは、平均的に秒当り約３８０ｋｂの伝送率を有しているが、ＤＴＳは秒当たり約１．４Ｍｂの伝送率を有する。換言すれば、類似した音を出すのにＤＴＳはＤＤより約３倍以上のデータを送ることである。
【００４４】
ＴＨＸは、ドルビーデジタルやＤＴＳのような特別なサウンドフォーマット規格ではない。ルカースフィルムにより作られたものであって、音響及び映像機器、そしてソースに適用される一種の認証制度であり、ドルビープロロジック、ドルビーデジタル、そしてＤＴＳシステムにも適用できる。そして、ＤＶＤタイトルもＴＨＸ認証を受けられる。ＴＨＸ認証を受けた製品はある程度以上の音質及び画質を具現するという信頼をユーザに与えられる。
【００４５】
Ｄ／Ａ変換部２４０は、デジタル信号処理部２３０から出力されたデジタル信号をアナログ信号に変換する。
【００４６】
したがって、このようなアンプ本体１１０は、音楽の美しさや真実感を探すためには現場感が必要であるが、これを再現させる音場機能が含まれる。
【００４７】
図４は、アンプ本体１１０がドッキングステーション３００に装着された実施例を示したものであって、外部のオーディオシステム及びスピーカーシステムを各々ケーブルを通じて接続できる。
【００４８】
このようなドッキングステーション３００はアンプ本体１１０の接続部を挟んで回路を接続すると同時に支持する接続支持部３１０及びこの接続支持部３１０と直接連結されて外部のオーディオシステム及びスピーカーシステムを各々ケーブルを通じて接続できる複数のケーブル接続用コネクタを有している。
【００４９】
また、アンプ本体１１０から出力される信号を増幅して前記ケーブル接続用コネクタを通じて出力するパワーアンプ（図示せず）とアンプ本体１１０にその接続部を通じて電圧を印加する電圧供給手段（図示せず）と前記電圧供給手段から印加される電圧を充電するための充電手段（図示せず）とを共に内蔵している。
【００５０】
ここで、電源供給はＤＣ−ｉｎ及びＵＳＢポートを用いて電源を供給できる。
【００５１】
図面及び明細書は本発明の例示に過ぎず、これは単に本発明を説明するための目的として使われたものであり、意味限定や特許請求の範囲上に記載された本発明の範囲を制限するために使われたものではない。したがって、当業者ならばこれにより多様な変形及び均等な他実施例が可能であるという点を理解できるであろう。したがって、本発明の真の技術的保護範囲は特許請求の範囲上の技術的思想により決まるべきである。
【００５２】
【産業上の利用の可能性】
本発明によれば、ユーザが常に携帯しつつ携帯用オーディオシステムと結合してサラウンド立体音響を楽しめる。また、本体と入出力アダプタとが分離されることによって、簡便に保管でき、家庭ではドッキングステーションを用いて多様な用途で利用できる。
【図面の簡単な説明】
【図１】
本発明に係る携帯用多チャンネルアンプの一実施例を示す図面である。
【図２】
本発明に係る携帯用多チャンネルアンプの他の一実施例を示す図面である。
【図３】
アンプ本体の内部構成を示す図面である。
【図４】
アンプ本体がドッキングステーションに装着された実施例を示す図面である。
【図３】
2004513583.tif 000003
【国際公開パンフレット】
2004513583.tif 000004
2004513583.tif 000005
2004513583.tif 000006
2004513583.tif 000007
2004513583.tif 000008
2004513583.tif 000009
2004513583.tif 000010
2004513583.tif 000011
2004513583.tif 000012
2004513583.tif 000013
2004513583.tif 000014
2004513583.tif 000015
2004513583.tif 000016
2004513583.tif 000017
【国際調査報告】
2004513583.tif 000018